(57)【要約】【課題】太陽電池を備え、電灯の発する光を有効利用する照明装置を提供する。【解決手段】本発明の照明装置１０は、蛍光灯１１と、蛍光灯１１の背面近傍に配設された太陽電池１２と、太陽電池１２の発生した電力を蓄積する二次電池１３と、二次電池１３に第二配線１９およびケーブル２０を介して電気的に接続された発光ダイオード１４と、蛍光灯１１への電力の供給を断った場合、太陽電池１２によって発生し、太陽電池１２に蓄積された電力を、発光ダイオード１４へ供給する制御を行う制御装置１５と、を備え、発光ダイオード１４が蛍光灯１１のスイッチをなしていることを特徴とする。【選択図】図１
2010135206.tif 000002
【特許請求の範囲】
【請求項１】
電灯と、該電灯の背面近傍に配設された太陽電池と、該太陽電池の発生した電力を蓄積する二次電池と、該二次電池に導線を介して電気的に接続された発光ダイオードと、前記電灯への電力の供給を断った場合、前記太陽電池によって発生し、前記二次電池に蓄積された電力を、前記発光ダイオードへ供給する制御を行う制御手段と、を備え、前記発光ダイオードが前記電灯のスイッチをなしていることを特徴とする照明装置。
【発明の詳細な説明】
【技術分野】
【０００１】
本発明は、太陽電池を備えた照明装置に関するものである。
【背景技術】
【０００２】
従来、太陽電池を備えた照明装置としては、太陽電池によって発生した電力を蓄電池に充電し、夜間には蓄電池に充填された電気をインバータによって変換して交流とし、蛍光灯を点灯するものが開示されている（例えば、特許文献１参照）。
【特許文献１】特開平１０−１８９２６２号公報
【発明の開示】
【発明が解決しようとする課題】
【０００３】
特許文献１に開示されている照明装置は、屋外に設置された太陽電池によって発生した電力を用いて、蛍光灯を点灯させているのみであり、蛍光灯の発する光を有効利用していなかった。
【０００４】
本発明は、上記事情に鑑みてなされたものであって、太陽電池を備え、電灯の発する光を有効利用する照明装置を提供することを目的とする。
【課題を解決するための手段】
【０００５】
本発明の照明装置は、電灯と、該電灯の背面近傍に配設された太陽電池と、該太陽電池の発生した電力を蓄積する二次電池と、該二次電池に導線を介して電気的に接続された発光ダイオードと、前記電灯への電力の供給を断った場合、前記太陽電池によって発生し、前記二次電池に蓄積された電力を、前記発光ダイオードへ供給する制御を行う制御手段と、を備え、前記発光ダイオードが前記電灯のスイッチをなしていることを特徴とする。
【発明の効果】
【０００６】
本発明の照明装置は、電灯と、該電灯の背面近傍に配設された太陽電池と、該太陽電池の発生した電力を蓄積する二次電池と、該二次電池に導線を介して電気的に接続された発光ダイオードと、前記電灯への電力の供給を断った場合、前記太陽電池によって発生し、前記二次電池に蓄積された電力を、前記発光ダイオードへ供給する制御を行う制御手段と、を備え、前記発光ダイオードが前記電灯のスイッチをなしているので、電灯の発する光による照明効率を低下させることなく、太陽電池により電灯の発する光を受光することができる。そして、受光した光によって太陽電池が発生した電力を一旦、二次電池に蓄積し、その電力を、電灯の消灯と同時に発光ダイオードに供給して、発光ダイオードを発光させることができる。したがって、電灯の発する光を有効利用して、発光ダイオードを発光させることができる。また、暗い室内などの暗闇の中においても、電灯のスイッチをなす発光ダイオードを容易に見付けることができる。
【発明を実施するための最良の形態】
【０００７】
本発明の照明装置の最良の形態について説明する。
なお、この形態は、発明の趣旨をより良く理解させるために具体的に説明するものであり、特に指定のない限り、本発明を限定するものではない。
【０００８】
図１は、本発明の照明装置の一実施形態を示す概略構成図であり、（ａ）は平面図、（ｂ）は（ａ）のＡ−Ａ線に沿う断面図である。
この実施形態の照明装置１０は、蛍光灯１１と、太陽電池１２と、二次電池１３と、発光ダイオード（Ｌｉｇｈｔ  Ｅｍｉｔｔｉｎｇ  Ｄｉｏｄｅ、以下、「ＬＥＤ」と言う。）１４と、制御装置１５から概略構成されている。
【０００９】
太陽電池１２は、蛍光灯１１の背面側に、蛍光灯１１に近接して配設されている。すなわち、この実施形態では、蛍光灯１１の背面板（反射板）１６の一方の面（蛍光灯１１と対向する面）１６ａに、窓極側（受光面側）を蛍光灯１１に向けて太陽電池１２が設けられている。
なお、背面板１６は、基台１７によって支持されている。
【００１０】
また、蛍光灯１１と背面板１６との間隔は、１．５ｃｍ以下であることが好ましい。一般的な２０Ｗの蛍光灯１１から発光される光の量（光量）は、蛍光灯１１の表面から１．５ｃｍ以内の範囲において１．５万ルクス〜２．０万ルクス程度であり、太陽電池１２によって、この光を効率的に受光するためには、蛍光灯１１と背面板１６との間隔は、１．５ｃｍ以下であることが好ましい。
【００１１】
また、太陽電池１２の受光面の面積は、蛍光灯１１の外径、数などや、蛍光灯１１の光量などに応じて、適宜調整される。
【００１２】
二次電池１３は、第一配線１８を介して太陽電池１２に電気的に接続されており、太陽電池１２の発生した電力を蓄積するものである。
さらに、二次電池１３は、第二配線１９と、これに接続され、基台１７の背面板対向する面１７ａから垂下するケーブル２０とを介して、ＬＥＤ１４に電気的に接続されている。すなわち、ケーブル２０の先端にＬＥＤ１４が設けられている。
また、ケーブル２０は蛍光灯１１のスイッチと接合されており、ケーブル２０を引っ張ることにより、蛍光灯１１を点灯あるいは消灯することができるようになっている。
【００１３】
制御装置１５は、第三配線２１を介して二次電池１３に電気的に接続されており、さらに、第四配線２２を介して第二配線１９に電気的に接続されている。
また、制御装置１５は、蛍光灯１１への電力の供給を断った場合（スイッチをＯＦＦにした場合）、太陽電池１２によって発生し、二次電池１３に蓄積された電力を、ＬＥＤ１４へ供給する制御を行うものである。
【００１４】
蛍光灯１１としては、一般的なものが用いられる。
太陽電池１２としては、基材に支持された窓極および対極と、これらの電極の間に設けられた高分子発電層とを具備してなるものである。
高分子発電層をなす材料としては、特表２００５−５３０３５１号公報や特開２００６−１２８０２号公報に開示されている機能性膜形成用の材料が用いられる。
【００１５】
二次電池１３としては、特に限定されず、一般的な二次電池が用いられる。
ＬＥＤ１４としては、特に限定されず、一般的な発光ダイオードが用いられる。
【００１６】
制御装置１５としては、二次電池１３から太陽電池１２に逆流を防止する回路を備えたもの、または、太陽電池１２から二次電池１３への過充電を防止する回路を備えたものが用いられる。
【００１７】
第一配線１８、第二配線１９、第三配線２１および第四配線２２としては、一般的な導線が用いられる。
ケーブル２０としては、一般的な導線が絶縁体で被覆された電線ケーブルが用いられる。
【００１８】
次に、照明装置１０の動作について説明する。
この照明装置１０において、蛍光灯１１が消灯している場合、ケーブル２０を引っ張ると蛍光灯１１が点灯し、その蛍光灯１１が発する光を、その背面側に配設された太陽電池１２が受光することにより、太陽電池１２において電力が発生する。そして、発生した電力は、自動的に二次電池１３に蓄積される。
【００１９】
一方、蛍光灯１１が点灯している場合、ケーブル２０を引っ張ると、電源からの蛍光灯１１への電力の供給が断たれて、蛍光灯１１が消灯する。これと同時に、制御装置１５による制御によって、二次電池１３からＬＥＤ１４への電力の供給が開始される。
すると、ＬＥＤ１４が点灯し、暗い室内などの暗闇の中においても、蛍光灯１１のスイッチとしても機能するＬＥＤ１４を容易に見付けることができる。
【００２０】
また、この状態で、再びケーブル２０を引っ張ると、蛍光灯１１が点灯し、太陽電池１２において電力が発生する。そして、発生した電力は、自動的に二次電池１３に蓄積される。
【００２１】
この照明装置１０によれば、蛍光灯１１と、蛍光灯１１の背面側に、蛍光灯１１に近接して配設された太陽電池１２と、太陽電池１２の発生した電力を蓄積する二次電池１３と、二次電池１３に電気的に接続されたＬＥＤ１４と、蛍光灯１１への電力の供給を断った場合、太陽電池１２によって発生し、二次電池１３に蓄積された電力を、ＬＥＤ１４へ供給する制御を行う制御装置１５と、を備えたので、蛍光灯１１の発する光による照明効率を低下させることなく、太陽電池１２により蛍光灯１１の発する光を受光することができる。そして、受光した光によって太陽電池１２が発生した電力を一旦、二次電池１３に蓄積し、その電力を、蛍光灯１１の消灯と同時にＬＥＤ１４に供給して、ＬＥＤ１４を発光させることができる。したがって、蛍光灯１１の発する光を有効利用して、ＬＥＤ１４を発光させることができる。
【００２２】
なお、この実施形態では、電灯として蛍光灯１１を備えた照明装置１０を例示したが、本発明の照明装置はこれに限定されない。本発明の照明装置にあっては、電灯としては、白熱電球、アーク放電灯、発光ダイードを用いてもよい。
また、電灯の数も特に限定されず、２つ以上設けられていてもよい。
【００２３】
また、この実施形態では、蛍光灯１１のスイッチと接合されるとともに、二次電池１３と電気的に接続されたケーブル２０の先端にＬＥＤ１４が設けられた照明装置１０を例示したが、本発明の照明装置はこれに限定されない。本発明の照明装置にあっては、導線を介して二次電池に電気的に接続されたＬＥＤが、電灯と離隔して壁などに配設され、そのＬＥＤが電灯のスイッチをなしていてもよい。
【図面の簡単な説明】
【００２４】
【図１】本発明の照明装置の一実施形態を示す概略構成図であり、（ａ）は平面図、（ｂ）は（ａ）のＡ−Ａ線に沿う断面図である。
【符号の説明】
【００２５】
１０・・・照明装置、１１・・・蛍光灯、１２・・・太陽電池、１３・・・二次電池、１４・・・発光ダイオード（ＬＥＤ）、１５・・・制御装置、１６・・・背面板、１７・・・基台、１８・・・第一配線、１９・・・第二配線、２０・・・ケーブル、２１・・・第三配線、２２・・・第四配線。
【図１】
2010135206.tif 000003